(57)【要約】      （修正有）【課題】門形建枠を利用した枠組み足場に物品等落下防止用幅木部材を設けるための支持具。【解決手段】支持具５は幅木部材端部差し込み用溝を有する本体部５１と、本体部から突設された上段側建地係合部５２、下段側建地係合部５３及び横地係合部５４を有している。支持具５は、建地係合部５２、５３を建地１１を間にして互いに反対側に配置し、その状態で全体を回して該建地係合部を建地に嵌合係合させ、さらに建地に沿って全体を摺動下降させて横地係合部５４を建枠横地１２に嵌合係合させて取り付けることかできる。幅木部材６は隣り合う本体部の溝に端部を差し込んで渡し設ける。【選択図】図１
2011026881.tif 000002
【特許請求の範囲】
【請求項１】
少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠について隣り合う建地が筋交い部材により連結された門形建枠群が上下方向に複数段積み重ね連結された枠組み足場において、予め定めた段における予め定めた隣り合う門形建枠の予め定めた隣り合う建地の下端部間に幅木部材を渡し設けるための幅木部材支持具であり、幅木部材端部を上方から差し込み可能の、上下方向に延びる、幅木部材差し込み溝を有する本体部と、該本体部に差し込まれる幅木部材の長手方向に交わる横方向へ該本体部から突設された上段側の建地係合部及び下段側の建地係合部と、該本体部から下方へ向け突設された横地係合部とを含んでおり、該上段側及び下段側の建地係合部は建地を間にして互いに反対側から該建地に嵌めることができる、平面からみると互いに反対方向から向かい合っている係合凹所を有しているとともに、該係合凹所において建地に嵌まり係合した状態で該建地に沿って上下方向に摺動可能であり、前記横地係合部は該上段側及び下段側の建地係合部を建地に沿って下降させることで前記横地に上方から嵌まり係合可能の係合凹所を有していることを特徴とする幅木部材支持具。
【請求項２】
少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠について隣り合う建地が筋交い部材により連結された門形建枠群が上下方向に複数段積み重ね連結された枠組み足場であり、請求項１記載の幅木支持部材が、予め定めた段における予め定めた隣り合う門形建枠の予め定めた隣り合う建地の下端部のそれぞれに、前記上段側及び下段側の建地係合部で建地下端部に嵌合係合されるとともに前記横地係合部で前記横地に嵌合係合されることで装着されており、該建地下端部に装着されて隣り合う幅木部材支持具の本体部の幅木部材差し込み溝に幅木部材の両端部が差し込まれることで該隣り合う建地下端部間に幅木部材が渡し設けられていることを特徴とする枠組み足場。
【発明の詳細な説明】
【技術分野】
【０００１】
本発明は、建物の新築、修理、改造、解体等の工事において用いる枠組み足場の形成に利用できる幅木部材支持具及び該幅木部材支持具を利用した枠組み足場に関する。
【背景技術】
【０００２】
従来、建物の新築、修理、改造、解体等の工事においては枠組み足場が採用されてきた。枠組み足場には種々の構造のものがあるが、今日における代表例として、例えば特開平２００３−１４７９５４号公報、特開平２００３−２０７８８号公報等に記載されているものを挙げることができる。この種の枠組足場は図６に例示するように、門形建枠１、隣り合う建枠１を連結する筋交い部材２及び建枠１に渡し設ける布板３を含んでいる。
【０００３】
図６では、建枠１を所定間隔で横方向に立て並べるとともに各隣り合う建枠１同士を筋交い部材２で連結した建枠群を上下３段に重ね、中段の建枠群における隣り合う建枠間に布板３を渡し設けた例が示されている。なお、図示していないが、再下段の建枠群においても隣り合う建枠間に布板３が渡し設けられることがある。
【０００４】
門形建枠１は、図７に示すように、複数本（図示例では対をなす２本）の建地１１と、該建地の上部間に渡し設けられた横地１２とを含んでいる。図示例では、建地１１と横地１２には補強部材１４が渡し設けられている。各建地１１は、通常、中空パイプ構造のものであり、上端からでも、下端からでもジョイントピン１３を差し込めるようになっている。
【０００５】
ジョイントピン１３は建枠１を上下方向に複数段に接続していくためのものであり、途中に建地端面に当接するストッパ部１３１を有している。ピン１３のストッパ部１３１より下側部分を建地１１にその上端から、ストッパ部が建地上端面に当接するまで差し込むことができ、ストッパ部１３１より上側部分を上段の建地１１にその下端から、ストッパ部が建地下端面に当接するまで差し込むことができる。
【０００６】
各建地１１の上下の各端部にはボルト通し孔１１１が形成されているとともに、ジョイントピン１３の上下の各端部にも該建地ボルト通し孔１１１に対応するボルト通し孔１３２が形成されている。建地端部に差し込まれるジョイントピン１３は、図６に示すように、これらボルト通し孔１１１、１３２に挿通されるボルトｂとこれに螺合されるナットｎにて建地１１に抜け止め固定される。図７では該ボルト・ナットの図示を省略してある。  図示例では、再下段の建枠１の建地１１の下端部はジャッキＪで支持されており、上下高さ位置を調整できるようになっている。
【０００７】
各建地１１には筋交い部材端部のピン係合孔（図示省略）を係合させる突起部１５が上下に設けられており、図６に示すように、各段の建枠群における隣り合う建枠において隣同士となる建地１１間に２本の筋交い部材２がクロス形に配置され、各筋交い部材２の各端部のピン係合孔が該突起部１５に係合連結される。
【０００８】
布板３は、図８に示すように、プレート部分３１とこれを建枠横地１２に係合させる部分とを有するものである。図示例では、プレート部分３１の両端部にフック３２を突設したものであり、該フックを門形建枠１の横地１２に掛けることで、隣り合う建枠間に渡し設けることができ、該布板上に作業者が乗って作業を行える。
【先行技術文献】
【特許文献】
【０００９】
【特許文献１】特開平２００３−１４７９５４号公報
【特許文献２】特開平２００３−２０７８８号公報
【発明の概要】
【発明が解決しようとする課題】
【００１０】
しかしながら、従来の枠組足場によると、隣り合う建枠の横地間に渡し設けられる布板の長手方向の両側には筋交い部材が設けられているものの、筋交い部材の下方に外側へ開放された大きい空間Ｓ（図６参照）があるため、そこから作業道具や資材類等を誤って落下させてしまったり、場合によっては、作業者自身が落下する危険性がある。
【００１１】
このような物品や人の布板からの落下の危険性を低減させるには、少なくとも、隣り合う建枠の建地下端部間に落下防止用の幅木部材（予め定めた高さ方向幅を有し、隣り合う建枠間に渡し得る長さを有する板状部材）を渡し設けることが考えられる。
【００１２】
しかも、そのような幅木部材は、従来の枠組み足場の構造をいたずらに複雑化したり、高価にしたりすることなく、簡単、安価に設けることができるようにすることが望ましい。
【００１３】
そこで本発明は、少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠について隣り合う建地が筋交い部材により連結された門形建枠群が上下方向に複数段積み重ね連結された枠組み足場において、前記横地を用いて布板が渡し設けられる隣り合う建枠の建地下端部間に物品等落下防止用の幅木部材を渡し設けるための幅木部材支持具であって、構造簡単、安価に形成でき、建枠への装着が容易であり、それを利用して所定の隣り合う建枠の建地下端部間に幅木部材を容易に渡し設けることかできる幅木部材支持具を提供することを第１の課題とする。
【００１４】
また本発明は、少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠において隣り合う建地が筋交い部材により連結された門形建枠群が上下方向に複数段積み重ね連結された枠組み足場であって、前記横地を用いて布板が渡し設けられた隣り合う建枠の建地下端部間からの物品や人の落下の危険性を、簡単、安価に低減できる枠組み足場を提供することを第２の課題とする。
【課題を解決するための手段】
【００１５】
本発明は前記第１の課題を解決するため以下の（１）幅木部材支持具を提供するとともに、前記第２の課題を解決するため以下の（２）枠組み足場を提供する。
【００１６】
（１）幅木部材支持具
少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠について隣り合う建地が筋交い部材により連結された門形建枠群が上下方向に複数段積み重ね連結された枠組み足場において、予め定めた段における予め定めた隣り合う門形建枠の予め定めた隣り合う建地の下端部間に幅木部材を渡し設けるための幅木部材支持具であり、幅木部材端部を上方から差し込み可能の、上下方向に延びる、幅木部材差し込み溝を有する本体部と、該本体部に差し込まれる幅木部材の長手方向に交わる横方向へ該本体部から突設された上段側の建地係合部及び下段側の建地係合部と、該本体部から下方へ向け突設された横地係合部とを含んでおり、該上段側及び下段側の建地係合部は建地を間にして互いに反対側から該建地に嵌めることができる、平面からみると互いに反対方向から向かい合っている係合凹所を有しているとともに、該係合凹所において建地に嵌まり係合した状態で該建地に沿って上下方向に摺動可能であり、前記横地係合部は該上段側及び下段側の建地係合部を建地に沿って下降させることで前記横地に上方から嵌まり係合可能の係合凹所を有している幅木部材支持具。
【００１７】
（２）枠組み足場
少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠について隣り合う建地が筋交い部材により連結された門形建枠群が上下方向に複数段積み重ね連結された枠組み足場であり、請求項１記載の幅木支持部材が、予め定めた段における予め定めた隣り合う門形建枠の予め定めた隣り合う建地の下端部のそれぞれに、前記上段側及び下段側の建地係合部で建地下端部に嵌合係合されるとともに前記横地係合部で前記横地に嵌合係合されることで装着されており、該建地下端部に装着されて隣り合う幅木部材支持具の本体部の幅木部材差し込み溝に幅木部材の両端部が差し込まれることで該隣り合う建地下端部間に幅木部材が渡し設けられている枠組み足場。
【００１８】
本発明に係る幅木部材支持具は、幅木部材を差し込む溝を有する本体部と、それから突設された上段側及び下段側の建地係合部並びに横地係合部からなる簡単な構造の支持具であり、容易に安価に作ることができる。
【００１９】
本発明に係る幅木部材支持具は次のようにして門形建枠の建地下端部に取り付けることができる。
先ず、それを装着しようとする門形建枠の建地の下端部に対して、前記本体部から突設された上段側及び下段側の建地係合部が（上下方向ではなく）略水平方向に並ぶ姿勢で、且つ、それら両建地係合部の間に建地下端部が位置するように（換言すれば建地を間にしてその両側に上段側及び下段側の建地係合部が位置するように）接近させる。
【００２０】
次いで、該両建地係合部の係合凹所がそれぞれ建地に嵌合するように、そして、上段側建地係合部が上側に、下段側建地係合部が下側にそれぞれ位置するように（換言すれば、上段側建地係合部と下段側建地係合部とが建地に沿って上下に位置するように）回動させ、該両建地係合部の係合凹所を建地下端部に嵌合係合させる。
【００２１】
さらに、そのように上段側及び下段側の建地係合部が建地に嵌合係合された状態で、該両建地係合部を建地に沿って摺動下降させ、また、必要に応じて支持具全体を建地の回りに回動調整して、前記横地係合部をその係合凹所で建枠の横地に上方から嵌合係合させる。かくして、幅木部材支持具を建地下端部に簡単、容易に取り付けることができる。
【００２２】
このようにして、枠組み足場の予め定めた段における予め定めた隣り合う門形建枠の予め定めた隣り合う建地の下端部のそれぞれに〔例えば、作業のために布板を渡し設けた隣り合う建枠の、作業対象物（例えば建築物躯体）に臨む側、又はその反対側、又はそれら双方の側における隣り合う建地の下端部のそれぞれに）幅木部材支持具を取り付け、該支持具の本体部における幅木部材差し込み溝に幅木部材の端部を上方から差し込むことで、該幅木部材を簡単、容易に隣り合う建地下端部間に渡し設けることができる。
【００２３】
本発明に係る枠組み足場は、予め定めた段における予め定めた隣り合う門形建枠の予め定めた隣り合う建地の下端部間に物品等の落下防止用の幅木部材が渡し設けられた枠組み足場であるが、該幅木部材は、該各建地下端部に本発明に係る構造簡単にして安価に製作できる幅木部材支持具を簡単、容易に取り付け、そのようにして隣り合わされた支持具の本体部における幅木部材差し込み溝に幅木部材の両端部を上方から差し込むことで隣り合う建地下端部間に簡単、容易に渡し設けられている。
【００２４】
かくして、本発明に係る枠組み足場は、建枠横地を用いて布板が渡し設けられた隣り合う建枠の建地下端部間からの物品や人の落下の危険性を、簡単、安価に低減できる枠組み足場である。
。
【発明の効果】
【００２５】
以上説明したように本発明によると、少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠について隣り合う建地が筋交い部材により連結された門形建枠群が上下方向に複数段積み重ね連結された枠組み足場において、前記横地を用いて布板が渡し設けられる隣り合う建枠の建地下端部間に物品等落下防止用の幅木部材を渡し設けるための幅木部材支持具であって、構造簡単、安価に形成でき、建枠への装着が容易であり、それを利用して所定の隣り合う建枠の建地下端部間に幅木部材を容易に渡し設けることかできる幅木部材支持具を提供することができる。
【００２６】
また本発明によると、少なくとも２本の建地と該建地の上部間に渡し設けられた横地とを有し、該横地に布板を支持させることができる門形建枠が、該横地が並行状配置となるように所定間隔で複数個立て並べられるとともに、隣り合う門形建枠において隣り合う建地が筋交い部材により連結された門形建枠群が上下方向に複数段積み重ね連結された枠組み足場であって、前記横地を用いて布板が渡し設けられた隣り合う建枠の建地下端部間からの物品や人の落下の危険性を、簡単、安価に低減できる枠組み足場を提供することができる。
【図面の簡単な説明】
【００２７】
【図１】本発明に係る枠組み足場の１例の一部の正面図である。
【図２】図１に示す枠組み足場の側面図である。
【図３】門形建枠の建地下端部に取り付けられた幅木部材支持具をそれに差し込まれた幅木部材とともに示す側面図である。
【図４】図３に示す幅木部材支持具をそれに差し込まれた幅木部材とともに示す平面図である。
【図５】幅木部材支持具の建地への取り付け手順を説明するための図である。
【図６】従来の枠組み足場の１例の一部の正面図である。
【図７】図６に示す枠組み足場の側面図である。
【図８】布板例の斜視図である。
【発明を実施するための形態】
【００２８】
以下本発明の実施形態を図面を参照して説明する。
図１は本発明に係る枠組み足場の１例の一部の正面図であり、図２は図１に示す枠組み足場の側面図である。
【００２９】
図１及び図２に示す枠組み足場Ｘは、図６及び図７に示す従来の枠組み足場と次の点を除けば、同様のものである。従って、本発明に係る枠組み足場Ｘについては、従来のものと相違する点を主として説明し、同様の部品、部分等及びそれらの機能等については説明を省略する。図６及び図７に示す枠組み足場における部品、部分等と同じ部品、部分等については図６、図７及び図８で用いている符号と同じ符号を付してある。
【００３０】
図１及び図２に示す本発明に係る枠組み足場Ｘは、図２に示すように、正面側が本例における枠組み足場Ｘを利用しての作業対象物である建築物躯体７に向けられている。
図示の例では下から２段目の門形建枠群に作業道具、資材等の物品や作業者等の落下を防止するための幅木部材６を設けてある。
【００３１】
下から２段目の門形建枠群は、門形建枠１を横地１２が並行状配置となるように所定間隔で複数個立て並べるとともに、隣り合う門形建枠１において隣り合う建地１１を筋交い部材２により連結したものである。
【００３２】
この下から２段目の門形建枠群においては、隣り合う建枠１の横地１２に作業のために布板３を渡し設けてある。隣り合う建枠１の建築物躯体７に臨む側の隣り合う建地１１の下端部のそれぞれに幅木部材支持具５が取り付けられている。そして、支持具５にて隣り合う建地下端部間に幅木部材７が渡し設けられている。
【００３３】
幅木部材６は、ここでは、布板３の上面又はそれより若干高位置から予め定めた高さ方向幅（物品等の落下防止のための幅）を与える幅を有し、隣り合う建枠１間に渡し設け得る長手方向の長さを有する板状部材である。
【００３４】
図２において、８１は枠組み足場Ｘを安全のために躯体７に連結する連結部である。８２は枠組み足場Ｘと建築物躯体７との間を落下するかもしれない物品等を受けるネットを張った落下防止棚である。
【００３５】
以下に幅木部材支持具５について、図３〜図５も参照して、さらに詳述する。
図３は門形建枠１の建地１１の下端部に取り付けられた幅木部材支持具５をそれに差し込まれた幅木部材６とともに示す側面図である。図４は図３に示す支持具５を幅木部材６とともに示す平面図である。図５は支持具５の建地１１への取り付け手順を示す図である。
【００３６】
幅木部材支持具５は本体部５１、該本体部から突設された上段側の建地係合部５２、下段側の建地係合部５３及び横地係合部５４を含んでいる。本例では、これらはいずれも鉄板を裁断して形成した部材である。
【００３７】
本体部５１は、本例では支持具５を取り付けようとする建地１１より足場Ｘの内側域に（建地１１を間にして建築物躯体７とは反対側域）に配置されるべき板体５１１、板体５１１と該建地１１との間に位置すべき板体５１２を含んでいる。板体５１１と５１２は平行配置であり、板体５１１の下端は直角に折り曲げられて幅木部材６の受け棚５１３とされ、板体５１２に溶接されている。かくして、板体５１１と５１２の間に幅木部材６の端部を上方から差し込む溝５１０（図５参照）が提供されている。
【００３８】
板体５１１、５１２の頂面には板状の上段建地係合部５２が重ねられ、板体５１１、５２２に対して垂直姿勢をとって板体５１１、５１２に溶接されている。上段建地係合部５２は平面から見ると矩形の突出部５２１を有しており、この突出部５２１は板体５１１の頂面まで延び、そこに溶接されている。突出部以外の部分は板体５１２に溶接されている。
突出部５２１は、本体部５１の溝に上方から差し込まれる幅木部材６同士を仕切る部分を兼ねている。
【００３９】
板状の上段建地係合部５２には建地１１に嵌合係合するための係合凹所５２０が切り欠き形成されている。係合凹所５２０は本体部５１の溝５１０に差し込まれる幅木部材６の長手方向に延びて開口している。
上段建地係合部５２の下方には係合部５２と平行に、且つ、板体５１２に対して垂直姿勢で板状の下段建地係合部５３が配置され、板体５１２に溶接されている。
【００４０】
係合部５３には建地１１に嵌合係合するための係合凹所５３０が切り欠き形成されている。係合凹所５３０は本体部５１の溝５１０に差し込まれる幅木部材６の長手方向に延び、上段建地係合部の係合凹所５２０とは反対向きに開口している。
かくして上側の建地係合部５２の係合凹所５２０と下側の建地係合部５３の係合凹所５３０とは、平面からみると互いに反対方向から向かい合っている。
【００４１】
横地係合部５４は板体５１２から一体的に下方へ延在した部分であり、そこには横地１２に上方から嵌合係合するための係合凹所５４０が切り欠き形成されており、該凹所は下方向けに開口している。
【００４２】
以上説明した幅木部材支持具５は次のようにして建枠１の建地１１の下端部に取り付けることができる。
先ず、図５に示すように、支持具５を装着しようとする門形建枠１の建地１１の下端部に対して、本体部５１から突設された上段側及び下段側の建地係合部５２、５３が（上下方向ではなく）略水平方向に並ぶ姿勢で、且つ、それら両建地係合部５２、５３の間に建地１１が位置するように（換言すれば建地１１を間にしてその両側に上段側及び下段側の建地係合部５２、５３が位置するように）、図５において矢印Ａ方向に接近させる。
【００４３】
次いで、両建地係合部５２、５３の係合凹所５２０、５３０がそれぞれ建地１１に嵌合するように、そして、上段側建地係合部５２が上側に、下段側建地係合部５３が下側にそれぞれ位置するように、図５において矢印Ｂ方向に回動させ、、換言すれば、図３及び図４に示すように、上段側建地係合部５２と下段側建地係合部５３とが建地１１に沿って上下に位置するように矢印Ｂ方向に回動させ、両建地係合部の係合凹所５２０、５３０を建地１１の下端部に嵌合係合させる。
【００４４】
さらに、そのように上段側及び下段側の建地係合部５２、５３が建地１１に嵌合係合された状態で、該両建地係合部を建地１１に沿って、図５に矢印Ｃで示す下方へ摺動下降させ、また、必要に応じて支持具５全体を建地１１の回りに適宜回動調整して、横地係合部５４をその係合凹所５４０で建枠１の横地１２に上方から嵌合係合させる。かくして、幅木部材支持具５を建地１１下端部に簡単、容易に取り付けることができる。
【００４５】
このようにして、枠組み足場Ｘの予め定めた段（図示例では下から２段目）における、布板３を渡し設けた隣り合う建枠１の、建築物躯体７に臨む側の隣り合う建地１１の下端部のそれぞれに幅木部材支持具５を取り付け、隣り合う支持具５の本体部５１における幅木部材差し込み溝５１０に幅木部材６の両端部を上方から差し込むことで、幅木部材６を簡単、容易に隣り合う建地１１下端部間に渡し設けることができる。
【００４６】
以上説明した例では、枠組み足場Ｘは、最下段より２段目の建枠群における、布板３を渡し設けた隣り合う建枠１の、建築物躯体７に臨む側の隣り合う建地１１の下端部間に幅木部材６が渡し設けられた枠組み足場であるが、幅木部材６は、各建地１１下端部に構造簡単にして安価に製作できる幅木部材支持具５を簡単に取り付け、そのようにして取り付けられ、隣り合わされた支持具本体部５１における幅木部材差し込み溝５１０に幅木部材６両端部が上方から差し込まれることで簡単、容易に渡し設けられている。
【００４７】
かくして、枠組み足場Ｘは、建枠１の横地１２を用いて布板３が渡し設けられた隣り合う建枠１の建地１１下端部間からの物品や人の落下の危険性を、簡単、安価に低減できる。
【００４８】
以上、幅木部材支持具６及び枠組み足場Ｘについて説明したが、本発明に係る幅木部材支持具及び枠組み足場は以上説明したものに限定されない。例えば、幅木部材支持具を構成する材料や支持具の構造、作製方法等は上記したものに限定されることはない。幅木部材支持具としての強度を有し、幅木部材支持具として機能し得るものであればよい。
【００４９】
枠組み足場にしても、例えば、幅木部材６が、建築物躯体７に臨む側とは反対側に設けられていてもよく、それら両側に設けられていてもよく、また、布板３は再下段の建枠群における隣り合う建枠１間渡し設けられていてもよく、さらにその場合、その再下段の布板３の片側又は両側に幅木部材支持具５を利用して幅木部材６が渡し設けられていてもよい。
【産業上の利用可能性】
【００５０】
本発明は、各種建物の新築、修理、改造、解体等の工事において用いる枠組足場に適用できる。
【符号の説明】
【００５１】
Ｘ  枠組み足場
１  門形建枠
１１  建地
１２  横地
２  筋交い部材
２０  下桟部材
３  布板
５  幅木部材支持具
５１  本体部
５１０  幅木部材差し込み溝
５２  上段側建地係合部
５２０  係合凹所
５３  下段側建地係合部
５３０  係合凹所
５４  横地係合部
５４０  係合凹所
６  幅木部材
７  作業対象物
【図１】
2011026881.tif 000003
【図２】
2011026881.tif 000004
【図３】
2011026881.tif 000005
【図４】
2011026881.tif 000006
【図５】
2011026881.tif 000007
【図６】
2011026881.tif 000008
【図７】
2011026881.tif 000009
【図８】
2011026881.tif 000010